(57)【要約】【課題】商品通路での商品詰まりを確実に防止することのできる商品収納ラックを提供することを目的とする。【解決手段】商品通路２２の内部に横倒し姿勢の飲料商品１０を上下方向に沿って収納する商品収納ラック１であって、外周面に舌片１２を有するとともにこの舌片１２に切欠１２ａ１，１２ａ２を有した飲料商品１０を収納対象とし、商品通路２２の内部において舌片１２の切欠１２ａ１，１２ａ２に対応する部位に一連のワイヤ２５，２６を敷設し、商品通路２２に投入した飲料商品１０の切欠１２ａ１，１２ａ２にワイヤ２５，２６を係合させることにより、飲料商品１０の商品通路２２に沿った移動を許容する一方、飲料商品１０の起立姿勢へ至る移動を規制するようにしている。【選択図】        図１
2007018338.tif 000002
【特許請求の範囲】
【請求項１】
商品通路の内部に横倒し姿勢の商品を上下方向に沿って収納する商品収納ラックであって、
商品通路に商品を投入した場合に商品に設けられた係合部に係合し、商品の商品通路に沿った移動を許容する一方、商品の起立姿勢へ至る移動を規制する姿勢制御手段を設けたことを特徴とする商品収納ラック。
【請求項２】
外周面に環状の凹部を有した商品を収納対象とし、
前記姿勢制御手段は、商品通路の内部において商品の凹部に対応する部位に一連の案内部を設けたものであり、商品通路に投入した商品の凹部に案内部を係合させることを特徴とする請求項１に記載の商品収納ラック。
【請求項３】
互いに対向する態様で前記案内部を一対設けたことを特徴とする請求項２に記載の商品収納ラック。
【請求項４】
外周面に舌片を有するとともにこの舌片に切欠を有した商品を収納対象とし、
前記姿勢制御手段は、商品通路の内部において舌片の切欠に対応する部位に一連の案内部を設けたものであり、商品通路に投入した商品の切欠に案内部を係合させることを特徴とする請求項１に記載の商品収納ラック。
【請求項５】
案内部は、商品通路を画成する部材から突設した凸状体であることを特徴とする請求項２または４に記載の商品収納ラック。
【請求項６】
案内部は、商品通路の内部に敷設した線状体であることを特徴とする請求項２または４に記載の商品収納ラック。
【発明の詳細な説明】
【技術分野】
【０００１】
本発明は、商品通路の内部に横倒し姿勢の商品を上下方向に沿って収納する商品収納ラックに関するものである。
【背景技術】
【０００２】
缶入り飲料やペットボトル入り飲料等の商品を販売する自動販売機においては、商品通路の内部に横倒し姿勢の商品を上下方向に沿って収納する商品収納ラックを備えたものが種々提供されている。商品通路は、例えば一対の側板の間に円弧状のセグメントを適宜配置することにより蛇行状に形成されており、その下端部にベンドメックと称される商品払出機構を備えたものが一般的である。
【０００３】
この種の商品収納ラックでは、上方から投入された商品が商品通路の内部を下降し、その下端部から順次上方に沿って収納されることになる。この状態からベンドメックが駆動すると、最下位置に収納された商品が１つずつ商品収納ラックの外部に払い出されることになる（例えば、特許文献１参照）。
【０００４】
【特許文献１】特開平９−１５３１８１号公報
【発明の開示】
【発明が解決しようとする課題】
【０００５】
ところで、上記のような商品収納ラックにあっては、例えば投入した商品が傾斜する等、商品の姿勢が乱れた場合、そのまま商品通路の内部においてブリッジ状態や起立状態となり、それ以降下方に移動せずに商品詰まりを招来する虞れがある。
【０００６】
本発明は、商品通路での商品詰まりを確実に防止することのできる商品収納ラックを提供することを目的とする。
【課題を解決するための手段】
【０００７】
上記の目的を達成するために、本発明の請求項１に係る商品収納ラックは、商品通路の内部に横倒し姿勢の商品を上下方向に沿って収納する商品収納ラックであって、商品通路に商品を投入した場合に商品に設けられた係合部に係合し、商品の商品通路に沿った移動を許容する一方、商品の起立姿勢へ至る移動を規制する姿勢制御手段を設けたことを特徴とする。
【０００８】
また、本発明の請求項２に係る商品収納ラックは、上述した請求項１において、外周面に環状の凹部を有した商品を収納対象とし、前記姿勢制御手段は、商品通路の内部において商品の凹部に対応する部位に一連の案内部を設けたものであり、商品通路に投入した商品の凹部に案内部を係合させることを特徴とする。
【０００９】
また、本発明の請求項３に係る商品収納ラックは、上述した請求項２において、互いに対向する態様で前記案内部を一対設けたことを特徴とする。
【００１０】
また、本発明の請求項４に係る商品収納ラックは、上述した請求項１において、外周面に舌片を有するとともにこの舌片に切欠を有した商品を収納対象とし、前記姿勢制御手段は、商品通路の内部において舌片の切欠に対応する部位に一連の案内部を設けたものであり、商品通路に投入した商品の切欠に案内部を係合させることを特徴とする。
【００１１】
また、本発明の請求項５に係る商品収納ラックは、上述した請求項２または４において、案内部は、商品通路を画成する部材から突設した凸状体であることを特徴とする。
【００１２】
また、本発明の請求項６に係る商品収納ラックは、上述した請求項２または４において、案内部は、商品通路の内部に敷設した線状体であることを特徴とする。
【発明の効果】
【００１３】
本発明によれば、商品通路に商品を投入した場合に商品に設けられた係合部に係合し、商品の商品通路に沿った移動を許容する一方、商品の起立姿勢へ至る移動を規制する姿勢制御手段を設けるようにしているため、調整作業等の煩雑な作業を要することなく商品を投入することでその姿勢を制御することができ、商品詰まりを防止することができるようになる。
【発明を実施するための最良の形態】
【００１４】
以下に添付図面を参照して、本発明に係る商品収納ラックの好適な実施の形態について詳細に説明する。
【００１５】
（実施の形態１）
図１及び図２は、本発明の実施の形態１である商品収納ラックを示したものである。ここで例示する商品収納ラック１は、図には明示していないが、自動販売機の本体キャビネット内に商品を収納するためのもので、図３の（ａ）及び（ｂ）に示すように、容器本体１１の外周面に４つの舌片１２を有したペットボトル入り飲料（以下、「飲料商品１０」という）を収納対象としている。飲料商品１０の舌片１２は、容器本体１１の軸心Ｃを含む平面αに合致する態様で外周面の上端部及び下端部からそれぞれ径外方向に延在しており、それぞれが外方に向けて開口する切欠１２ａを有している。図３の（ｂ）に示すように、容器本体１１の一方側（図中の向かって左方側）に並設した舌片１２の切欠（以下、「ガイド切欠１２ａ１」という）は、それぞれ一様な幅を有してＵ字状に形成されたものである。これに対して容器本体１１の他方側（図中の向かって右方側）に並設した舌片１２の切欠（以下、「フック切欠１２ａ２」という）は、開口幅が奥側の円形部分１２ａ２１よりも僅かに狭幅となるように形成されたものである。
【００１６】
一方、上述した飲料商品１０を収納対象とする商品収納ラック１には、図１及び図２に示すように、一対の側板２０と一対の通路構成板２１との間に上下方向に延在する態様で商品通路２２が構成してある。商品通路２２は、一対の側板２０の間に飲料商品１０の高さよりも大きな間隔Ｘが確保してあるとともに、一対の通路構成板２１の間に飲料商品１０の外周面から突出する舌片１２の最大幅よりも大きな間隔Ｙが確保してあり、横倒し姿勢の飲料商品１０を上下方向に沿って複数収納することが可能である。図１に示すように、本実施の形態１では、一対の側板２０の間の手前側及び奥側に、それぞれ手前側に投入口２２ａを有した商品通路２２が画成してある。尚、各商品通路２２の下端部には、従前の商品収納ラックと同様に、販売指令が与えられた場合に駆動して商品通路２２の最下位置に収納された飲料商品１０を１つずつ払い出すためのベンドメック２３と、ベンドメック２３との間の間隔を調整するための調整板２４が設けてある。
【００１７】
さらに、商品収納ラック１には、図２に示すように、各商品通路２２の内部に一対のガイドワイヤ（線状体）２５及び一対のフックワイヤ（線状体）２６が敷設してある。ガイドワイヤ２５は、飲料商品１０の舌片１２に設けたガイド切欠１２ａ１に対して挿抜可能となる外径を有した一連のもので、それぞれ飲料商品１０の投入口２２ａにおいて下方側となる位置に配置された通路構成板２１に複数のワイヤブラケット２７を介して取り付けてある。フックワイヤ２６は、飲料商品１０の舌片１２に設けたフック切欠１２ａ２の円形部分に挿通可能となる外径を有した一連のもので、それぞれ飲料商品１０の投入口２２ａにおいて上方側となる位置に配置された通路構成板２１に複数のワイヤブラケット２７を介して取り付けてある。ガイドワイヤ２５及びフックワイヤ２６の取付位置は、商品通路２２の内部において飲料商品１０を一対の側板２０及び一対の通路構成板２１からそれぞれ離隔させ、かつ容器本体１１の軸心Ｃを含む平面αを通路構成板２１に直交させた場合に舌片１２のガイド切欠１２ａ１及びフック切欠１２ａ２に対応した部位である。
【００１８】
上記のように構成した商品収納ラック１においては、図２に示すように、投入口２２ａにおいてフックワイヤ２６をそれぞれ舌片１２のフック切欠１２ａ２に挿通させるとともに、ガイドワイヤ２５をそれぞれ舌片１２のガイド切欠１２ａ１に挿通させ、この状態から飲料商品１０を順次商品通路２２の内部に投入すれば、横倒し姿勢の飲料商品１０を上下方向に沿って複数収納することが可能となる。
【００１９】
ここで、本実施の形態１の商品収納ラック１によれば、一対のガイドワイヤ２５がそれぞれ舌片１２のガイド切欠１２ａ１に係合するとともに、一対のフックワイヤ２６がそれぞれ舌片１２のフック切欠１２ａ２に係合しているため、投入された飲料商品１０はこれらガイドワイヤ２５及びフックワイヤ２６の延在方向に沿って商品通路２２を案内されることになる。従って、搬送中の飲料商品１０は、商品通路２２に対して傾斜する等、その姿勢が乱れる事態が発生しないばかりか、側板２０や通路構成板２１に接触することすらなく、商品通路２２の内部においてブリッジ状態や起立状態となる事態は発生し得ない。これにより、ベンドメック２３が駆動すれば、商品通路２２の最下位置に収納された飲料商品１０が確実に外部に払い出されることになる。
【００２０】
しかも、飲料商品１０の長さに関わらず共通の位置に舌片１２を設けておけば、商品通路２２への投入時においてフックワイヤ２６をフック切欠１２ａ２に挿通させ、かつガイドワイヤ２５をガイド切欠１２ａ１に挿通させることで、何等の調整作業を要することなく上述の作用効果を奏するため、飲料商品１０の収納作業が著しく煩雑化することはない。
【００２１】
尚、上述した実施の形態１では、舌片１２に切欠１２ａを有した商品１０を収納対象とし、商品通路２２に線状体としてワイヤ２５，２６を敷設した商品収納ラック１を例示しているが、逆の態様でも構わない。例えば、外周面に突起を有した商品を収納対象とし、商品通路に突起を挿通させるための一連の溝を形成しても、同様の作用効果を奏することができる。
【００２２】
また、上述した実施の形態１では、容器本体１１の外周面に４つの舌片１２を有した商品１０を収納対象とし、商品通路２２に案内部として４本のワイヤを敷設した商品収納ラック１を例示しているが、商品１０の舌片１２及び商品通路２２のワイヤの数が４である必要はなく、またこれらが必ずしも一致した数である必要もない。
【００２３】
さらに、上述した実施の形態１では、商品１０の周面に舌片１２を設けているが、商品の端面に舌片を設けるようにしても構わない。
【００２４】
またさらに、上述した実施の形態１では、案内部としてワイヤブラケット２７を介して取り付けた線状体２５，２６を例示しているが、図５に示すように、ワイヤ部２８ａと取付部２８ｂとを一体に成形した横断面を有する凸状体２８を案内部として適用しても良い。
【００２５】
（実施の形態２）
図６及び図７は、本発明の実施の形態２である商品収納ラックを示したものである。ここで例示する商品収納ラック２は、図には明示していないが、自動販売機の本体キャビネット内に商品を収納するためのもので、図８に示すように、外周面の中央部に環状凹部３１を有した円柱状を成す容器入り飲料（以下、「飲料商品３０」という）を収納対象としている。飲料商品３０の環状凹部３１は、図７に示すように、中央が最も細径となり、かつ両端に向けて漸次外径が大となる形状を成すものである。
【００２６】
一方、上述した飲料商品３０を収納対象とする商品収納ラック２には、図６及び図７に示すように、一対の側板４０と一対の通路構成板４１との間に上下方向に延在する蛇行状の商品通路４２が構成してある。商品通路４２は、一対の側板４０の間に飲料商品３０の高さよりも大きな間隔Ｘが確保してあるとともに、一対の通路構成板４１の間に飲料商品３０の最大外径よりも大きな間隔Ｙが確保してあり、横倒し姿勢の飲料商品３０を上下方向に沿って複数収納することが可能である。図６及び図９に示すように、本実施の形態２では、一対の側板４０の間の手前側及び奥側に、それぞれ手前側に投入口４２ａを有した商品通路４２が画成してある。尚、各商品通路４２の下端部には、従前の商品収納ラックと同様に、販売指令が与えられた場合に駆動して商品通路４２の最下位置に収納された飲料商品３０を１つずつ払い出すためのベンドメック４３と、ベンドメック４３との間の間隔を調整するための調整板４４が設けてある。
【００２７】
さらに、商品収納ラック２には、図７に示すように、各商品通路４２の内部において互いに対向する部位にそれぞれ凸状体４５が設けてある。凸状体４５は、それぞれ通路構成板４１の中央部を内方側に向けて屈曲形成することにより構成した一連のもので、飲料商品３０に形成した環状凹部３１の内部に配置することのできる横断面形状に形成してある。対向する凸状体４５の相互間距離は、飲料商品３０の外周面よりも小さく、かつ環状凹部３１の最小外径よりも僅かに大きく設定してある。
【００２８】
上記のように構成した商品収納ラック２においては、図７及び図９に示すように、投入口４２ａにおいて環状凹部３１を凸状体４５に合致させた状態から飲料商品３０を順次商品通路４２の内部に投入すれば、横倒し姿勢の飲料商品３０を上下方向に沿って複数収納することが可能となる。
【００２９】
ここで、本実施の形態２の商品収納ラック２によれば、一対の凸状体４５がそれぞれ飲料商品３０の環状凹部３１に係合するため、投入された飲料商品３０はこれら凸状体４５の延在方向に沿って商品通路４２を案内されることになる。つまり、搬送中の飲料商品３０が傾斜する等、その姿勢が乱れた場合には、飲料商品３０の外周面において環状凹部３１を構成する部分と凸状体４５とが互いに当接することによって姿勢が修正されることになる。さらに、飲料商品３０の外周面において環状凹部３１を構成する部分と凸状体４５とが互いに当接することによって、飲料商品３０が側板４０に接触する事態も規制されている。従って、商品通路４２の内部において飲料商品３０がブリッジ状態や起立状態となる事態が発生することはなく、ベンドメック４３が駆動すれば、商品通路４２の最下位置に収納された飲料商品３０が確実に外部に払い出されることになる。
【００３０】
しかも、飲料商品３０の長さに関わらず共通の位置に同一形状の環状凹部３１を設けておけば、商品通路４２への投入時において環状凹部３１を凸状体４５に合致させることで、何等の調整作業を要することなく上述の作用効果を奏するため、飲料商品３０の収納作業が著しく煩雑化することはない。
【００３１】
尚、上述した実施の形態２では、外周面に環状凹部３１を有した飲料商品３０を収納対象とし、商品通路４２に凸状体４５を設けた商品収納ラック２を例示しているが、逆の態様でも構わない。例えば、外周面に環状突起を有した飲料商品を収納対象とし、商品通路に環状突起に係合させるための一連の溝を形成しても、同様の作用効果を奏することができる。
【００３２】
また、上述した実施の形態２では、商品に設けた１つの環状凹部３１に対して凸状体４５を一対設けるようにしているが、必ずしも一対である必要はなく、唯一あれば十分である。さらに、通路構成板を屈曲成形することによって凸状体を構成するようにしているが、別個構成した凸状体を商品通路の内部に配設するようにしても構わない。
【００３３】
（実施の形態３）
図１０及び図１１は、本発明の実施の形態３である商品収納ラックを示したものである。ここで例示する商品収納ラック３は、図には明示していないが、自動販売機の本体キャビネット内に商品を収納するためのもので、図１２に示すように、外周面に環状凹溝５１を有したペットボトル入り飲料（以下、「飲料商品５０」という）を収納対象としている。図１２からも明らかなように、本実施の形態３の飲料商品５０では、容器本体５２と同一外径の円柱状を成すキャップ５３を飲口５２ａに螺合させることにより、容器本体５２とキャップ５３との端面間に環状凹溝５１を構成するようにしている。
【００３４】
一方、上述した飲料商品５０を収納対象とする商品収納ラック３には、図１０及び図１１に示すように、一対の側板６０の間にセグメントと称される湾曲形状の通路構成板６１を適宜配設することにより、上下方向に延在する蛇行状の商品通路６２が構成してある。商品通路６２は、一対の側板６０の間に飲料商品５０の高さよりも大きな間隔Ｘが確保してあるとともに、互いに対向する通路構成板６１の間に飲料商品５０の最大外径よりも大きな間隔Ｙが確保してあり、横倒し姿勢の飲料商品５０を上下方向に沿って複数収納することが可能である。図１０に示すように、本実施の形態３では、一対の側板６０の間の手前側及び奥側に、それぞれ手前側に投入口６２ａを有した商品通路６２が画成してある。尚、各商品通路６２の上端部には、横倒し姿勢で投入された飲料商品５０を商品通路６２に案内するためのトップトレイ６３が設けてある。また、各商品通路６２の下端部には、従前の商品収納ラック３と同様に、販売指令が与えられた場合に駆動して商品通路６２の最下位置に収納された飲料商品５０を１つずつ払い出すためのベンドメック６４と、ベンドメック６４との間の間隔を調整するための調整板６５が設けてある。
【００３５】
さらに、商品収納ラック３には、図１０及び図１１に示すように、トップトレイ６３の上面にレールプレート６６が設けてあるとともに、各商品通路６２の内部にガイドピン（線状体）６７が設けてある。レールプレート６６は、図１３に示すように、トップトレイ６３の上面から上方に向けて突設したプレート状部材であり、飲料商品５０の環状凹溝５１に挿入することのできる板厚に構成してある。それぞれのレールプレート６６は、左右方向に沿ってその位置を変更することが可能である。ガイドピン６７は、飲料商品５０の環状凹溝５１に係合することのできる外径を有した一連のピン状部材であり、レールプレート６６に連続する態様で設けてある。図１４に示すように、ガイドピン６７の下端部は、ベンドメック６４のフラッパ６４ａに形成したスライド溝６４ｂを貫通する態様で延在しており、レールプレート６６の移動に伴って左右方向に移動することが可能である。
【００３６】
上記のように構成した商品収納ラック３においては、投入口６２ａにおいてレールプレート６６をそれぞれ飲料商品５０の環状凹溝５１に挿通させ、この状態から飲料商品５０を順次奥方に投入すれば、商品通路６２の内部において横倒し姿勢の飲料商品５０を上下方向に沿って複数収納することが可能となる。
【００３７】
ここで、本実施の形態３の商品収納ラック３によれば、レールプレート６６が環状凹溝５１に挿通した状態の飲料商品５０は、商品通路６２に至った時点で環状凹溝５１にガイドピン６７が係合し、その状態のまま商品通路６２を下方に案内されることになる。従って、搬送中の飲料商品５０は、商品通路６２に対して傾斜する等、その姿勢が乱れる事態が発生することはなく、商品通路６２の内部においてブリッジ状態や起立状態となる事態は発生しない。これにより、ベンドメック６４が駆動すれば、商品通路６２の最下位置に収納された飲料商品５０が確実に外部に払い出されることになる。
【００３８】
しかも、トップトレイ６３に対してレールプレート６６を適宜移動させ、飲料商品５０の両端と側板６０との間隔が均等になる位置に配置すれば、これに伴ってガイドピン６７の位置も変更されることになり、長さの異なる飲料商品５０に対してもその姿勢を乱すことなく収納することができるようになる。
【００３９】
尚、上述した実施の形態３では、同一外径の円柱状を成すキャップ５３を容器本体５２に螺合することによって外周面に環状凹溝５１を構成した商品を収納対象としているが、キャップ５３の形状はこれに限定されない。例えば、図１５に示すように、一端にフランジ１５３ａを有したキャップ１５３を容器本体１５２に螺合することによって環状凹溝１５１を形成した商品１５０を収納対象としても良いし（ａ）、上方に向けて漸次外径が小さくなる円錐台状のキャップ２５３を容器本体２５２に螺合することによって環状凹溝２５１を形成した商品２５０を収納対象としても良いし（ｂ）、半球状のキャップ３５３を容器本体３５２に螺合することによって環状凹溝３５１を形成した商品３５０を収納対象としても良い（ｃ）。
【００４０】
また、上述した実施の形態３では、通路構成板６１とは独立したガイドピン６７によって商品５０の起立姿勢への移動を規制するようにしているが、例えば通路構成板６１から商品通路６２に向けて一連の凸状体を形成し、この凸状体を商品の環状凹溝５１に係合させることによって起立姿勢への移動を規制しても構わない。
【００４１】
さらに、上述した実施の形態３では、レールプレート６６を移動させることによってガイドピン６７の位置を変更することができるため、例えば案内が不要な大型の商品を収納する場合、レールプレート６６を商品通路６２の一方に寄せることで、ガイドピン６７によって商品の収納が妨げられる事態を防止することができるが、必ずしもガイドピン６７を移動可能に設ける必要はない。
【図面の簡単な説明】
【００４２】
【図１】本発明の実施の形態１である商品収納ラックを概念的に示した断面側面図である。
【図２】図１に示した商品収納ラックの商品通路を示す横断面図である。
【図３】図１に示した商品収納ラックに収納する商品を示す平面図及び側面図である。
【図４】図１に示した商品収納ラックの要部を概念的に示す斜視図である。
【図５】図１に示した商品収納ラックに適用する案内部の変形例を示す斜視図である。
【図６】本発明の実施の形態２である商品収納ラックを概念的に示した断面側面図である。
【図７】図６に示した商品収納ラックの商品通路を示す横断面図である。
【図８】図６に示した商品収納ラックに収納する商品の斜視図である。
【図９】図６に示した商品収納ラックの斜視図である。
【図１０】本発明の実施の形態３である商品収納ラックを概念的に示した断面側面図である。
【図１１】図１０に示した商品収納ラックの商品通路を示す横断面図である。
【図１２】図１０に示した商品収納ラックに収納する商品の斜視図である。
【図１３】図１０に示した商品収納ラックに適用されるトップトレイを示す斜視図である。
【図１４】図１０に示した商品収納ラックに適用されるベンドメックを示す斜視図である。
【図１５】図１２に示した商品の変形例を示す斜視図である。
【符号の説明】
【００４３】
１      商品収納ラック
２      商品収納ラック
３      商品収納ラック
１０      飲料商品
１１      容器本体
１２      舌片
１２ａ      切欠
１２ａ１      ガイド切欠
１２ａ２      フック切欠
１２ａ２１      円形部分
２０      側板
２１      通路構成板
２２      商品通路
２２ａ      投入口
２３      ベンドメック
２４      調整板
２５，２６      ワイヤ
２７      ワイヤブラケット
２８      凸状体
２８ａ      ワイヤ部
２８ｂ      取付部
３０      飲料商品
３１      環状凹部
４０      側板
４１      通路構成板
４２      商品通路
４２ａ      投入口
４３      ベンドメック
４４      調整板
４５      凸状体
５０      飲料商品
５１      環状凹溝
５２      容器本体
５２ａ      飲口
５３      キャップ
６０      側板
６１      通路構成板
６２      商品通路
６２ａ      投入口
６３      トップトレイ
６４      ベンドメック
６４ａ      フラッパ
６４ｂ      スライド溝
６５      調整板
６６      レールプレート
６７      ガイドピン
１５０      商品
１５１      環状凹溝
１５２      容器本体
１５３      キャップ
１５３ａ      フランジ
２５０      商品
２５１      環状凹溝
２５２      容器本体
２５３      キャップ
３５０      商品
３５１      環状凹溝
３５２      容器本体
３５３      キャップ
【図１】
2007018338.tif 000003
【図２】
2007018338.tif 000004
【図３】
2007018338.tif 000005
【図４】
2007018338.tif 000006
【図５】
2007018338.tif 000007
【図６】
2007018338.tif 000008
【図７】
2007018338.tif 000009
【図８】
2007018338.tif 000010
【図９】
2007018338.tif 000011
【図１０】
2007018338.tif 000012
【図１１】
2007018338.tif 000013
【図１２】
2007018338.tif 000014
【図１３】
2007018338.tif 000015
【図１４】
2007018338.tif 000016
【図１５】
2007018338.tif 000017